(57)【要約】【課題】ユーザ毎の印刷枚数の集計や制限を厳格に行うためにクライアントからの印刷ジョブを直接受け付けないような運用が、いわゆるサーバ溜め置きのような有償な機能を有効にするだけでできるようにする。【解決手段】機能が有効か否かを判定する有効化判定手段、サーバとの通信が確立しているか否かを判定する接続判定手段、印刷ジョブがサーバを通過したか否かを判定する通過判定手段、有効化判定手段と接続判定手段と通過判定手段との結果に基づいて記印刷ジョブを受け付ける印刷ジョブ受信手段、他。【選択図】  図５
2013218471.tif 000002
【特許請求の範囲】
【請求項１】
画像形成装置（２００）と、サーバ（１００）と、クライアント（３０１、３０２、３９９）からなり、前記クライアントからの印刷ジョブを前記サーバに一旦溜め置き、前記画像形成装置において予め定められた機能を有効化することによって前記サーバに溜め置かれた前記印刷ジョブを扱うことができるようになる画像形成システムにおいて、
前記画像形成装置は、
前記機能が有効か否かを判定する有効化判定手段（S5-001）と、
前記サーバとの通信が確立しているか否かを判定する接続判定手段（S5-003）と、
前記印刷ジョブがサーバを通過したか否かを判定する通過判定手段（S5-005）と、
前記有効化判定手段と、前記接続判定手段と、前記通過判定手段との結果に基づいて、前記印刷ジョブを受け付ける印刷ジョブ受信手段（S5-002、S5-004、S5-006、S5-007）と、
を有することを特徴とする画像形成システム。
【請求項２】
前記印刷ジョブは、該印刷ジョブがサーバを通過したことを記録する記録領域（図４）を有し、前記サーバは、前記画像形成装置に前記印刷ジョブを送るとき、前記記録領域にサーバを通過したことを記録する出力手段（１３０）を有し、前記画像形成装置の前記通過判定手段は、前記記憶領域を参照することを特徴とする請求項１に記載の画像形成システム。
【請求項３】
前記出力手段は、前記記録領域に、真または偽のいずれかの値を記録することを特徴とする請求項２に記載の画像形成システム。
【請求項４】
前記サーバは、前記画像形成装置と通信を確立するとき、前記サーバの識別番号を前記画像形成装置に通知する通知手段（１１１）をさらに有し、前記出力手段は、前記記録領域に、前記サーバの識別番号を記録し、前記画像形成装置の前記通過判定手段は、前記通知手段によって通知された前記識別番号と、前記記録領域に記録されている前記サーバの識別番号とを比較することを特徴とする請求項２に記載の画像形成システム。
【請求項５】
前記画像形成装置は、前記有効化判定手段と、前記接続判定手段と、前記通過判定手段とを有効にするか否かを切り換える切換手段をさらに有することを特徴とする請求項１乃至請求項４の何れか１項に記載の画像形成システム。
【請求項６】
画像形成装置（２００）と、サーバ（１００）と、クライアント（３０１、３０２、３９９）からなり、前記クライアントからの印刷ジョブを前記サーバに一旦溜め置き、前記画像形成装置において予め定められた機能を有効化することによって前記サーバに溜め置かれた前記印刷ジョブを扱うことができるようになる画像形成システムにおいて、
前記画像形成装置は、
前記機能が有効か否かを判定するステップ（S5-001）と、
前記サーバとの通信が確立しているか否かを判定するステップ（S5-003）と、
前記印刷ジョブがサーバを通過したか否かを判定するステップ（S5-005）と、
前記有効か否かを判定するステップと、前記通信が確立しているか否かを判定するステップと、前記通過したか否かを判定するステップとの結果に基づいて、前記印刷ジョブを受け付けるステップ（S5-002、S5-004、S5-006、S5-007）と、
からなることを特徴とする画像形成システムの制御方法。
【請求項７】
前記印刷ジョブは、該印刷ジョブがサーバを通過したことを記録する記録領域（図４）を有し、前記サーバは、前記画像形成装置に前記印刷ジョブを送るとき、前記記録領域にサーバを通過したことを前記記録領域に記録するステップ（１３０）を有し、前記画像形成装置の前記通過したか否かを判定するステップは、前記記憶領域を参照することを特徴とする請求項６に記載の画像形成システムの制御方法。
【請求項８】
前記記録するステップは、前記記録領域に、真または偽のいずれかの値を記録することを特徴とする請求項７に記載の画像形成システムの制御方法。
【請求項９】
前記サーバは、前記画像形成装置と通信を確立するとき、前記サーバの識別番号を前記画像形成装置に通知するステップ（１１１）をさらに有し、前記記録するステップは、前記記録領域に、前記サーバの識別番号を記録し、前記画像形成装置の前記通過したか否かを判定するステップは、前記通知するステップによって通知された前記識別番号と、前記記録領域に記録されている前記サーバの識別番号とを比較することを特徴とする請求項７に記載の画像形成システムの制御方法。
【請求項１０】
前記画像形成装置は、前記有効か否かを判定するステップと、前記通信が確立しているか否か判定するステップと、前記通過したか否かを判定するステップとを有効にするか否かを切り換えるステップをさらに有することを特徴とする請求項６乃至請求項９の何れか１項に記載の画像形成システムの制御方法。
【発明の詳細な説明】
【技術分野】
【０００１】
本発明は、クライアントと、サーバと、画像形成装置とからなる画像形成システムに関する。特に、クライアントからの印刷ジョブを一旦サーバに溜め置き、画像形成装置およびサーバにおけるユーザ認証に基づいて印刷ジョブをサーバから画像形成装置に送り、画像形成装置において該ジョブの印刷を実行するシステムに関する。
【背景技術】
【０００２】
画像形成システムにおいて、印刷ジョブをサーバに溜め置くシステムが提案されている（特許文献１）。
【０００３】
また、サーバにおいてユーザ情報を管理し、画像形成装置からの認証要求に基づいて、サーバが管理しているユーザ情報と認証要求とを照合してユーザ認証を行う画像形成システムもある。画像形成装置がＩＣカードリーダを収容していて、ユーザが非接触のＩＣカードをＩＣカードリーダにかざすことで認証要求されるものが一例である。
【０００４】
さらに、ユーザ認証に基づいて、一旦溜め置かれているクライアントからの印刷ジョブをサーバから画像形成装置へ転送して、画像形成装置に印刷させるとともに、各ユーザの印刷枚数の集計や制限をサーバが行うシステムも知られている。
【０００５】
他方、印刷枚数の集計や制限といった機能は、有償で提供される場合が多い。例えば、個々の画像形成装置においてライセンス番号を入力させ、有償な機能が有効にされた（アクティベートされた）装置だけがサーバと通信できるように構成されている。あるいは、サーバ側で有償な機能を使うことができる装置を一括して登録し、その装置だけがサーバと通信できるような構成もある。
【０００６】
ここで、有償な機能を使わない、すなわち、アクティベートされていない画像形成装置は、クライアントからの印刷ジョブを直接受け付け、印刷を実行できなければならない。
【０００７】
一方で、有償な機能を使う場合、ユーザ毎の印刷枚数の集計や制限を厳格に行うために、クライアントからの印刷を直接受け付けないような運用が望まれるケースが多かった。
【先行技術文献】
【特許文献】
【０００８】
【特許文献１】特開２００３−０９９２１２号公報
【発明の概要】
【発明が解決しようとする課題】
【０００９】
従来、クライアントからの印刷を直接受け付けない運用が望まれるケースでは、設置時に個々の画像形成装置に対して次のような設定を行わなければならなかった。すなわち、例えば、画像形成装置がサーバのＩＰアドレスからしか印刷ジョブを受け付けないように、いわゆるＩＰフィルタ設定をしなければならなかった。あるいは、画像形成装置がＷｅｂベースの設定機能を有し、任意のＰＣからリモートでＩＰフィルタを書き換える必要があった。
【００１０】
設置する画像形成装置が１、２台程度であって、いずれも同一フロアの近接した位置に設置するのであれば、前者の方法であっても許容できるかもしれない。しかしながら、台数が１０数台以上になったり、フロアが異なったりする場合、前者の方法では設置作業が煩雑で、多くの時間を要してしまう問題があった。後者であれば、設置作業者の移動が伴わない分、設置作業は容易になる。しかしながら、例えばサーバのＩＰアドレスが変更になった場合、すべての画像形成装置の設定を変更しなければならない問題があった。
【００１１】
本発明は上記問題を鑑みてなされたものであり、ユーザ毎の印刷枚数の集計や制限を厳格に行うためにクライアントからの印刷ジョブを直接受け付けないような運用が容易に実現できる画像形成システムを提供することを目的とする。
【課題を解決するための手段】
【００１２】
上記目的を達成するために、本発明の画像形成システムは、
画像形成装置（２００）と、サーバ（１００）と、クライアント（３０１、３０２、３９９）からなり、前記クライアントからの印刷ジョブを前記サーバに一旦溜め置き、前記画像形成装置の予め定められた機能を有効化することによって前記サーバに溜め置かれた前記印刷ジョブを扱うことができるようになる画像形成システムであって、
前記画像形成装置は、
前記機能が有効か否かを保持する有効化情報記憶手段（S5-001）と、
前記サーバとの通信が確立しているか否かを判定する接続判定手段（S5-003）と、
前記印刷ジョブがサーバを通過したか否かを判定する通過判定手段（S5-005）と、
前記有効化情報記憶手段と、前記接続判定手段と、前記通過判定手段との結果に基づいて、前記印刷ジョブを受け付ける印刷ジョブ受信手段（S5-002、S5-004、S5-006、S5-007）と、
を有する。
【発明の効果】
【００１３】
本発明によれば、ユーザ毎の印刷枚数の集計や制限を厳格に行うためにクライアントからの印刷ジョブを直接受け付けないような運用が、いわゆるサーバ溜め置きのような有償な機能を有効にするだけでできるようになる。これによって、画像形成装置の設置作業が容易になる。
【００１４】
また、サーバからの印刷であっても、サーバ・ソフトウェアが提供しているモジュールを経由しないと印刷が実行されなくなる。
【図面の簡単な説明】
【００１５】
【図１】本実施例における画像形成装置（ＭＦＰ）の利用環境を示す概略図である。
【図２】図１記載のＭＦＰ２００のハードウェア構成を示すブロック図である。
【図３】本実施例のサーバ１００のソフトウェア構成を示すブロック図である。
【図４】印刷ジョブの一例を示した図である。
【図５】印刷ジョブのフィルタ処理の流れを詳しく示したフローチャートである。
【発明を実施するための形態】
【００１６】
以下、本発明を実施するための最良の形態について図面を用いて説明する。
【００１７】
図１は、本実施例における画像形成装置（ＭＦＰ）の利用環境を示す概略図である。
【００１８】
ＭＦＰ２００は、ＬＡＮ４００を介して、サーバ１００と接続されている。
【００１９】
ＭＦＰ２００は、定められたプロトコルでサーバ１００と通信することによって、いわゆるサーバ溜め置き型のセキュアプリントを実現している。
【００２０】
ＬＡＮ４００には、パーソナルコンピュータ等からなる複数のクライアントが接続されている。同図では、３０１、３０２、３９９のクライアント１、クライアント２、クライアントｎが接続されている一例を示している。クライアントｉ（例えば、クライアント１ ３０１）からの印刷データは、一旦サーバ１００に送られ、サーバ内に溜め置かれる。より具体的な流れは、後述する。なお、上記プロトコルは公知の技術のため、詳細な説明は割愛する。
【００２１】
同図では、ＭＦＰ２００が１台だけ接続されている例を示しているが、サーバ１００は、複数のＭＦＰと通信することができる。また、上記定められたプロトコルに対応する機種であれば、複数のＭＦＰは異なる機種であってもよい。
【００２２】
図２は、図１記載のＭＦＰ２００のハードウェア構成を示すブロック図である。
【００２３】
図２において、ＭＦＰ２００は、ＣＰＵ２０１、ＲＯＭ２０２、ＲＡＭ２０３、ネットワークインタフェースカード（ＮＩＣ）２０４、外部入力コントローラ（ＰＡＮＥＬＣ）２０５、各種ボタン或いはタッチパネル（ＰＡＮＥＬ）２０６を備えている。また、ＭＦＰ２００は、ディスプレイコントローラ（ＤＩＳＰＣ）２０７、ディスプレイ（ＤＩＳＰＬＡＹ）２０８、ディスクコントローラ（ＤＫＣ）２０９、ハードディスク（ＨＤ）２１０を備える。ＭＦＰ２００は、さらに、プリンタ部（ＰＲＩＮＴＥＲ）２１１、スキャナ部（ＳＣＡＮＮＥＲ）２１２、ＵＳＢコントローラ（ＵＳＢＣ）２１５を備えている。
【００２４】
ＣＰＵ２０１は、システムバス（Ｓｙｓｔｅｍ ＢＵＳ）２１３に接続される各デバイスを総括的に制御すると共に、ＲＯＭ２０２或いは大規模記憶装置であるＨＤ２１０に記憶されたファームウェアモジュールをＲＡＭ２０３に展開して実行する。
【００２５】
また、ＣＰＵ２０１は、制御プログラムとしてのファームウェアモジュールに基づき後述の各フローチャートに示す処理を実行する。なお、ＲＯＭ２０２は、フラッシュメモリで実装されていて、電源が切断されても保持しておく必要があるＭＦＰ２００の設定を記憶する設定データ領域も割り当てられている。ＨＤ２１０は、場合によっては画像の一時記憶場所としても使用されることがある。ＲＡＭ２０３は、ＣＰＵ２０１の主メモリ、ワークエリアとして機能する。
【００２６】
ＰＡＮＥＬＣ２０５は、ＭＦＰに装備されたＰＡＮＥＬ２０６からの指示入力を制御する。ＤＩＳＰＣ２０７は、ＤＩＳＰＬＡＹ２０８に対する描画を制御する。
【００２７】
ＮＩＣ２０４は、ＬＡＮ２１４を介して、サーバ１００等とデータのやり取りを行う。ＰＲＩＮＴＥＲ２１１は、電子写真方式で記録紙に画像形成を行う。ＳＣＡＮＮＥＲ２１２は、記録紙に印刷されている画像の読み取りを行う。ＳＣＡＮＮＥＲ２１２には、オプションとしてオートドキュメントフィーダ（不図示）が装着されており、複数枚の原稿を自動的に読み取ることができる。
【００２８】
また、本実施例のＭＦＰ２００は、ＵＳＢＣ２１５を備えている。ＵＳＢＣ２１５は、ＵＳＢケーブル２１７を介してＣａｒｄ  Ｒｅａｄｅｒ２１６等と接続される。背景技術で触れたように、ユーザは非接触のＩＣカードをＣａｒｄ Ｒｅａｄｅｒ２１６にかざすことで、サーバに対してユーザ認証を要求することができる。ユーザ認証が成功すれば、そのユーザはＭＦＰ２００を使用することができるようになる。
【００２９】
図３は、本実施例のサーバ１００のソフトウェア構成を示すブロック図である。
【００３０】
サーバ１００上では、同図記載のサーバ・ソフトウェア１１０、サーバ用入力ドライバ１２０、サーバ用出力ドライバ１３０が稼働できる状態にある。また、本発明とは直接関係ないが、さまざまなアプリケーション１４０がインストールされているのが一般的である。加えて、ＭＦＰ２００を購入したときに同梱されてくるＭＦＰ用ドライバ１５０がインストールされていてもよい。また、本実施例のサーバ用入力ドライバ１２０、サーバ出力用ドライバ、ＭＦＰ用ドライバ１５０は、公知なプリンタドライバと等価であって、サーバ上で稼働しているＯＳの仕様に準ずるものである。プリンタドライバは公知の技術なので、詳細な説明は割愛する。
【００３１】
サーバ・ソフトウェア１１０は、主に、コネクション制御１１１、認証制御１１２、入力制御１１３、ユーザキュー１１４、印刷制御１１５、集計制御１１６のモジュールから構成される。また、認証データ１１７、集計データ１１８を含む。
【００３２】
コネクション制御１１１は、ＬＡＮ４００接続されている複数のＭＦＰ（図１であればＭＦＰ２００）とサーバ１００との接続前手順（ネゴシエーション）や通信（コネクション）等を制御する。また、本実施例の画像形成システムは、コネクション制御１１１が、有償な機能の有効化制御を受け持つ。具体的には、サーバ・ソフトウェア１１０が提供するＷｅｂベースのコンフィギュレーション画面で、ＬＡＮ４００に接続されている複数のＭＦＰの中の任意の１台（図１であればＭＦＰ２００）を選択する。コネクション制御１１１は、定められた手順で、選択されたＭＦＰに有効化の指示を発行する。有効化の指示を受けたＭＦＰは、図２記載のＲＯＭ２０２に割り当てられた設定データ領域に、有効化されたことを示す値を保持する。
【００３３】
認証制御１１２は、ＬＡＮ４００接続されている複数のＭＦＰ（図１であればＭＦＰ２００）からのユーザ認証要求を受け付け、認証データ１１７との照合を行うことで、要求されたユーザの認証を行う。また、その結果を要求したＭＦＰに返す。
【００３４】
入力制御１１３は、クライアントｉからサーバ用入力ドライバ１２０に送られた印刷ジョブを監視し、ユーザキュー１１４に転送する。
【００３５】
ユーザキュー１１４は、認証データ１１７に基づいて、入力制御１１３から転送された印刷ジョブを各ユーザのキューに投入する。
【００３６】
印刷制御１１５は、認証制御１１２と連動し、複数のＭＦＰ（図１であればＭＦＰ２００）から、認証されたユーザの印刷ジョブに関わる操作を受け付ける。具体的には、受け付けた操作に基づいて、ユーザキュー１１４に溜まっている印刷ジョブの状況をＭＦＰに返したり、ＭＦＰから指示された印刷ジョブをサーバ用出力ドライバ１３０に転送したりする。また、集計データ１１８に基づいて、印刷枚数の上限制御も受け持つ。もし、ユーザに割り当てられている印刷枚数の上限を超えたならば、印刷ジョブをサーバ用出力ドライバ１３０に転送する処理を停止する。
【００３７】
集計制御１１６は、コネクション制御１１１によって通信（コネクション）が確立している複数のＭＦＰ（図１であればＭＦＰ２００）から、印刷枚数に関わる情報を収集し、ユーザ毎に分けて集計データ１１８に保存する。
【００３８】
ここで、本実施例のサーバ用出力ドライバ１３０は、印刷制御１１５から印刷ジョブを転送されたとき、該印刷ジョブのヘッダに印刷ジョブが出力ドライバを通過したことを示すフラグをセットする。
【００３９】
図４は、本実施例の印刷ジョブの一例である。
【００４０】
図３記載のサーバ用出力ドライバ１３０が、印刷制御１１５から印刷ジョブを転送されたとき、印刷ジョブのヘッダにサーバの出力ドライバを通過したことを示すフラグにＴＲＵＥがセットされた例を示している。例えば、同図記載のＭＦＰ用ドライバ１５０が生成した印刷ジョブであれば、同フラグはＦＡＬＳＥになっている。
【００４１】
図５は、本実施例のＭＦＰにおける印刷ジョブのフィルタ処理の流れを詳しく示したフローチャートである。
【００４２】
図１において、印刷ジョブがＬＡＮ４００を介してＭＦＰ２００に送られてきたときに実行される。
【００４３】
まず、ステップS5-001において、図３記載のコネクション制御１１１によって、サーバ溜め置きの機能が有効化されているか否かを確認する。具体的には、図２記載のＲＯＭ２０２に割り当てられた設定データ領域に、有効化されたことを示す値が保持されているか否かを確認する。もし、有効化された値が保持されているならばステップS5-003に、そうでなければステップS5-002に進む。
【００４４】
ステップS5-002に進んだ場合、フィルタ処理は何もすることなく、どんな印刷ジョブであってもそれを受け付けて、フィルタ処理を終了する。
【００４５】
一方、ステップS5-003では、図２記載のコネクション制御１１１によって、ネゴシエーションが完了してコネクションが確立しているか否かを確認する。もし、コネクションが確立していればステップS5-005に、そうでなければステップS5-004に進む。
【００４６】
ステップS5-004は、いわゆるサーバ溜め置きの機能が有効化されているが、サーバとの接続が確立していないときに実行される。このとき、フィルタ処理は、どんな印刷ジョブも受け付けず、フィルタ処理を終了する。受け付けられなかった印刷ジョブは、結果として破棄される。
【００４７】
ステップS5-005は、いわゆるサーバ溜め置きの機能が有効化されていて、かつ、サーバとの接続が確立しているときに実行される。ステップS5-005では、図４記載の印刷ジョブヘッダのサーバ通過フラグを参照する。もしフラグがＴＲＵＥならばステップS5-006に、そうでなければステップS5-007に進む。
【００４８】
ステップS5-006は、いわゆるサーバ溜め置きの機能が有効化されていて、かつ、サーバとの接続が確立しているが、印刷ジョブがサーバを通過していないと判定されたとき実行される。当該印刷ジョブは受け付けられず、破棄されて、フィルタ処理を終了する。
【００４９】
ステップS5-007は、いわゆるサーバ溜め置きの機能が有効化されていて、かつ、サーバとの接続が確立していて、さらに、印刷ジョブがサーバを通過していると判定されたとき実行される。当該印刷ジョブを受け付けて、フィルタ処理を終了する。
【００５０】
以上のように構成することで、ユーザ毎の印刷枚数の集計や制限を厳格に行うためにクライアントからの印刷を直接受け付けないような運用が、いわゆるサーバ溜め置きのような有償な機能を有効にするだけでできるようになる。
【００５１】
また、ステップS5-005によって、例えば図３記載のＭＦＰ用ドライバ１５０を使った印刷も実行されなくなり、より厳格な集計や制限が可能になる。
【００５２】
さらに、ステップS5-003の判定とステップS5-004の処理によって、サーバとの接続が確立していないときは、例えサーバ用出力ドライバ１３０を通過した印刷ジョブであっても受け付けなくなり、さらに厳格な集計や制限が可能になる。
【００５３】
［その他の実施の形態］
第１の実施形態では、印刷ジョブのヘッダにサーバ通過フラグを備え、サーバ用出力ドライバ１３０が同フラグをＴＲＵEに設定し、ステップS5-005においてそれを確認するように構成した。しかし、例えば次のように構成すれば、より厳格な集計や制限が可能になる。すなわち、コネクション制御１１１は、ＭＦＰ２００とのネゴシエーションで、サーバの識別番号を通知する。これはサーバ・ソフトウェア１１０のシリアル番号でもよいし、サーバ１００のＩＰアドレスでもよい。また、印刷ジョブのヘッダにはサーバの識別番号を保存するようにする。加えて、ステップS5-005では、ネゴシエーションで通知された識別番号と印刷ジョブヘッダに保存されている識別番号とを比較するように構成する。こうすることで、ＭＦＰ２００に送信された印刷ジョブを生成サーバ用出力ドライバ１３０と、印刷制御１１５や集計制御１１６とが、同一サーバ上で動作することがより確実になる。よって、第１の実施形態に対して、より厳格な集計や制限が実現できる。
【００５４】
一方で、印刷ジョブのヘッダにサーバ通過フラグを備えなくても、クライアントｉからの印刷ジョブを直接受け付けなくすることは可能である。例えば、コネクション制御１１１は、ＭＦＰ２００とのネゴシエーションで、サーバ１００のＩＰアドレスを通知する。これに対して、ステップS5-005において、ネゴシエーションで通知されたＩＰアドレスと、印刷ジョブの送り元のＩＰアドレスとを比較するように構成する。このようにすれば、サーバ上のＭＦＰ用ドライバ１５０による印刷の集計および制限は難しくなるが、第１の実施形態より簡単な構成で、クライアントｉからの印刷ジョブを受け付けなくすることは実現できる。
【００５５】
また、第１の実施形態では、有効化をサーバ・ソフトウェア１１０のコネクション制御１１１が実施するように構成した。しかしながら、有効化はサーバ・ソフトウェア１１０から行わなくても同様な効果が得られる。例えば、ＭＦＰ２００のＰＡＮＥＬ２０６を使って、有効化に必要なシリアル番号を入力させ、入力されたシリアル番号が妥当なときにＲＯＭ２０２の設定データ領域に有効化されたことを示す値を格納してもよい。
【００５６】
また、第１の実施形態では、図５記載の印刷ジョブのフィルタ処理が必ず動作するように構成した。しかしながら、集計や制限はあまり重要でなく、認証されたユーザは自分が生成した印刷ジョブのみを印刷できる、いわゆるサーバ溜め置き型のセキュアプリントだけを運用したいケースも想定される。このような運用もカバーするために、ＲＯＭ２０２の設定データ領域に印刷ジョブフィルタ処理の有効／無効を切り換えるソフトウェアスイッチデータを保持するように構成してもよい。同スイッチが有効ならば、第１の実施形態と同様に動作し、無効ならば、常にステップS5-002と等価な動作をする。
【符号の説明】
【００５７】
１００  ・・・  サーバ
２００  ・・・  ＭＦＰ
３０１  ・・・  クライアント１
３０２  ・・・  クライアント２
４００  ・・・  ＬＡＮ
１１０  ・・・  サーバ・ソフトウェア
１２０  ・・・  サーバ用入力ドライバ
１３０  ・・・  サーバ用出力ドライバ
【図１】
2013218471.tif 000003
【図２】
2013218471.tif 000004
【図３】
2013218471.tif 000005
【図４】
2013218471.tif 000006
【図５】
2013218471.tif 000007